(57)【要約】【課題】  ＡＬＣパネルに取付金物収納用の切り込み部を加工する必要がなく、ＡＬＣパネルのＨ形鉄骨梁への取付けが容易で施工効率の良いＡＬＣパネルの取付金物、及び取付構造を提供する。【解決手段】  取付金物１０は、細長い板状の平板部１１と、平板部１１の長手方向一辺の下面側に略鉤状に設けた複数の挟持片１２とからなる。取付金物１０は平板部１１と挟持片１２によりＨ形鉄骨梁２のフランジ部２ａに嵌合保持され、フランジ部２ａ上にある平板部１１にＡＬＣパネルが載置されると共に、そのＡＬＣパネルが平板部１１のフランジ部２ａから突き出た長手方向他辺側にネジ止め固定される。【選択図】      図２
2006097300.tif 000002
【特許請求の範囲】
【請求項１】
建物駆体のＨ形鉄骨梁にＡＬＣパネルを取付けるための取付金物であって、細長い板状の平板部と、平板部の長手方向一辺の下面側に略鉤状に設けた複数の挟持片とからなり、Ｈ形鉄骨梁のフランジ部を平板部と挟持片の間に嵌合挟持でき、平板部がフランジ部上に保持されてパネル載置面となることを特徴とするＡＬＣパネルの取付金物。
【請求項２】
前記挟持片は、前記平板部の長手方向一辺の複数箇所を所定幅で直角方向に切込み、その所定幅の切込み部分を平板部の下面側に略鉤状に折り曲げて形成されていることを特徴とする、請求項１に記載のＡＬＣパネルの取付金物。
【請求項３】
請求項１又は２に記載の取付金物を用いてＡＬＣパネルを建物駆体のＨ形鉄骨梁に取付けたＡＬＣパネルの取付構造であって、前記取付金物が平板部と挟持片によりＨ形鉄骨梁のフランジ部に嵌合保持され、フランジ部上の平板部にＡＬＣパネルが載置されると共に、そのＡＬＣパネルが平板部のフランジ部から突き出た部分にネジ止め固定されていることを特徴とするＡＬＣパネルの取付構造。
【発明の詳細な説明】
【技術分野】
【０００１】
本発明は、建物駆体のＨ形鉄骨梁に床用又は屋根用などのＡＬＣパネルを取付けるための取付金物、及びその取付金物を用いて建物駆体のＨ形鉄骨梁に取付けたＡＬＣパネルの取付構造に関する。
【背景技術】
【０００２】
従来から床用又は屋根用のＡＬＣパネルは、取付金物を用いて建物駆体のＨ形鉄骨梁に取付固定されている。かかるＡＬＣパネルの取付けに用いる取付金物としては、特開平２０００−２７３９９６号公報、特開平１１−１６６２８２号公報、特開平９−２８７２２９号公報、特開平８−２０９８３２号公報、特開２００４−０１１６７８号公報に記載のものが知られている。
【０００３】
例えば、特開平２０００−２７３９９６号公報及び特開平１１−１６６２８２号公報には、図５〜６に示すように、平板部１ａと嵌合部１ｂを有する断面略コ字状の金属板からなり、その嵌合部１ｂがＨ形鉄骨梁の上部フランジ部２ａに嵌合される取付金物１が記載されている。この取付金物１は、嵌合部１ｂでＨ形鉄骨梁２の上部フランジ部２ａに嵌合された状態で、平板部１ａにＡＬＣパネル３を載せて平板部１ａにネジ４で固定するようになっている。
【０００４】
しかし、この取付金物１の場合、Ｈ形鉄骨梁２に嵌合固定したとき、上部フランジ部２ａの表面との間に段差ができるため、ＡＬＣパネル３の端部は取付金物１の平板部１ａに載置されるが、その他の部分では上部フランジ部２ａとＡＬＣパネル３の間に隙間が生じてしまう。そこで、この隙間をなくため、図６に示すように、ＡＬＣパネル３の裏面に、取付金物１を収納するＵ字溝型の切り込み部３ａを予め加工する必要があった。また、ＡＬＣパネル３には、ネジ４を挿通するためのネジ用孔３ｂも加工されていた。
【０００５】
また、特開平９−２８７２２９号公報には、図７〜８に示すように、平板支持部５ａと、平板支持部５ａから面一に突き出た平板支持片部５ｂと、この平板支持片部５ｂの両側に平板支持部５ａから湾曲して延長した２つの圧接片部５ｃとからなり、平板支持片部５ｂと圧接片部５ｃの間にＨ形鉄骨梁２の上部フランジ部２ａを圧接挟持する取付金物５が記載されている。しかし、この取付金物５の場合も、図８に示すように、ＡＬＣパネル３を載せてネジ４で固定した平板支持部５ａと上部フランジ部２ａの表面の間に段差ができるため、ＡＬＣパネル３の裏面に取付金物５を収納する切り込み部３ａを予め加工する必要があった。
【０００６】
更に、特開平８−２０９８３２号公報には、図９〜１０に示すように、Ｈ形鉄骨梁２の上部フランジ部２ａを挟持する上部係止片６ａ及び下部係止片６ｂと、両者の連結部に固定された板状部６ｃと、下部係止片６ｂに螺合された固定用ボルト７とからなる取付金物６が記載されている。しかし、この取付金物６においても、図１０に示すように、ＡＬＣパネル３を載せてネジ４で固定した板状部６ｃ及び上部フランジ部２ａの表面と、上部係止片６ａとの間に段差ができるため、ＡＬＣパネル３の裏面に上部係止片６ａを収納する切り込み部３ａを予め加工する必要があった。
【０００７】
このように、従来のＡＬＣパネルの取付金物においては、Ｈ形鉄骨梁のフランジ部に取付けたとき、そのままでは取付金物の最上部とフランジ部の表面との間に段差が生じてしまうため、ＡＬＣパネルの裏面に取付金物を収納する切り込み部を予め加工しておき、ＡＬＣパネル裏面とフランジ部表面の間に隙間が発生することを防ぐ必要があった。
【０００８】
一方、特開２００４−０１１６７８号公報には、ＡＬＣパネルを貫入する刃を備えた固定ボルトが開示されている。ここで用いる取付金物８は、図１１に示すように、Ｈ形鉄骨梁２の上部フランジ部２ａの下面に当接し、固定ボルト９ａ及びナット９ｂと協働してＡＬＣパネル３をフランジ部２ａ上に締め付ける役割を果たすものであり、取付金物８それ自体では上部フランジ部２ａに係合保持されることがない。そのため、取付金物８の一部が上部フランジ部２ａの上に延在することがなく、従ってＡＬＣパネル３の裏面に取付金物８を収納するための切り込み部を加工する必要はない。
【０００９】
しかしながら、特開２００４−０１１６７８号公報の取付金物は、上記したように取付金物８だけを上部フランジ部２ａに係合保持しておくことができない。そのため、この取付金物８では、固定ボルト９ａとナット９ｂを用いたＡＬＣパネル３の取付作業が極めて煩雑で面倒である。また、この取付金物８は、前記し且つ図５〜１０に図示した従来の取付金物１、５、６も同様であるが、Ｈ形鉄骨梁２の上部フランジ部２ａに取付けるＡＬＣパネル３の１枚ごとに１つの取付金物１、５、６、８が必要である。そのため、ＡＬＣパネル３の取り付けに数多くの取付金物１、５、６、８が必要となり、取付作業が極めて煩雑で面倒であるうえ、ＡＬＣパネル１を固定するネジ４との位置合わせについても厳密な墨出し作業が必要であった。
【００１０】
【特許文献１】特開平２０００−２７３９９６号公報
【特許文献２】特開平１１−１６６２８２号公報
【特許文献３】特開平９−２８７２２９号公報
【特許文献４】特開平８−２０９８３２号公報
【特許文献５】特開２００４−０１１６７８号公報
【発明の開示】
【発明が解決しようとする課題】
【００１１】
本発明は、このような従来の事情に鑑み、ＡＬＣパネルに取付金物収納用の切り込み部を予め加工するなどの特殊な加工を施す必要がなく、製造工場でのコストの低減が可能であると共に、Ｈ形鉄骨梁への設置並びにネジによるＡＬＣパネルの固定が簡単で、１枚の取付金物上に複数のＡＬＣパネルを取付けることができ、現場での施工効率を著しく向上させることが可能なＡＬＣパネルの取付金物、及びその取付構造を提供することを目的とする。
【課題を解決するための手段】
【００１２】
上記目的を達成するため、本発明が提供する建物駆体のＨ形鉄骨梁にＡＬＣパネルを取付けるための取付金物は、細長い板状の平板部と、平板部の長手方向一辺の下面側に略鉤状に設けた複数の挟持片とからなり、Ｈ形鉄骨梁のフランジ部を平板部と挟持片の間に嵌合挟持でき、平板部がフランジ部上に保持されてパネル載置面となることを特徴とする。
【００１３】
本発明は、また、上記した取付金物を用いてＡＬＣパネルを建物駆体のＨ形鉄骨梁に取付けたＡＬＣパネルの取付構造であって、前記取付金物が平板部と挟持片によりＨ形鉄骨梁のフランジ部に嵌合保持され、フランジ部上の平板部にＡＬＣパネルが載置されると共に、そのＡＬＣパネルが平板部のフランジ部から突き出た部分にネジ止め固定されていることを特徴とするＡＬＣパネルの取付構造を提供するものである。
【発明の効果】
【００１４】
本発明によれば、ＡＬＣパネルに取付金物を収納するためのＵ字型などの切り込み部や取付ネジ孔の加工が不要になるため、ＡＬＣパネルの製造工程が簡素化され且つ生産効率を改善でき、製造コストを低減することができる。また、本発明の取付金物は、Ｈ形鉄骨梁への設置が簡単なうえ、１枚の取付金物上に複数のＡＬＣパネルを取付けることができ、パネル枚数や割付などを気にせず設置を行うことが可能であり、且つ固定用のネジ位置の墨出し作業も必要ない。更には、ＡＬＣパネル裏面からの作業が不要となるため、作業者が上下階を行き来する必要がない。従って、現場での施工効率を著しく向上させ、施工コストを低減させることができる。
【発明を実施するための最良の形態】
【００１５】
本発明におけるＡＬＣパネルの取付金物は、細長い板状の平板部と、その平板部の長手方向一辺の下面側に略鉤状に設けた複数の挟持片とからなり、この平板部と挟持片の間にＨ形鉄骨梁のフランジ部を嵌合させて挟持することができる。従って、取付金物の平板部はＨ形鉄骨梁のフランジ部上に載った状態で保持され、細長い平板部全体が面一のパネル載置面を構成する。そのため、１枚の取付金物上に複数のＡＬＣパネルを載置することができ、また、ＡＬＣパネルを載置したとき部分的に段差が生じることがないので、ＡＬＣパネルの裏面に取付金物を収納する切り込み部を予め加工しておく必要がない。
【００１６】
また、Ｈ形鉄骨梁のフランジ部に保持された取付金物は、平板部のフランジ部と係合している長手方向一辺側がフランジ部上に位置し、他辺側はフランジ部から外側に突き出た状態となる。そのため、取付金物の平板部で構成されるパネル載置面上にＡＬＣパネルを載せ、フレキ付きタッピンネジやタッピンネジなどのネジにより、フランジ部から外に突き出た平板部の長手方向他辺側との間でＡＬＣパネルを固定することができる。しかも、ネジを固定すべき平板部の長手方向他端側は、フランジ部に沿って長く延長しているので、ネジ位置の墨出し作業を行わなくても簡単にネジを打ち込んで固定することができる。
【００１７】
取付金物若しくはその平板部は、細長い金属板からなることが好ましい。また、その金属板の板厚は、強度や加工性を考慮すると１.２〜３.５ｍｍの範囲が好ましい。平板部の板厚を１.２〜３.５ｍｍとすることで、望ましい強度が得られるだけでなく、ＡＬＣパネルだけでなく平板部にもタッピンネジを簡単に貫通させて螺合することができるので、予めＡＬＣパネルにネジ用孔を加工する必要がないうえ、ＡＬＣパネルの取付けが極めて容易になる。
【００１８】
平板部の下面側には、長手方向一辺に間隔をおいて複数の挟持片を設ける。挟持片は、平板部と協働して両者の間にＨ型鉄骨梁のフランジ部を嵌合挟持するものであるから、平板部に対して略鉤状をなし、例えば平板部と挟持片の断面形状が略ｈ字状をなすように構成する。また、挟持片の形成は、別途作製した挟持片を平板部に溶接などにより固定してもよいが、好ましくは、平板部の長手方向一辺の複数箇所を所定幅で直角方向に切込み、その所定幅の切込み部分を平板部の下面側に略鉤状に折り曲げて形成することができる。
【００１９】
また、取付金物の長さは、建物駆体のＨ形鉄骨梁に合せて何種類か設定し、使い分けをすることで、同じＨ形鉄骨梁であれば全て対応が可能となる。更に、大きな吹上荷重などを必要とする場合においては、取付金物の挟持片の数を増やしたり、取付金物の挟持片にリブや突起を設けることで取付強度を上げることも可能である。
【実施例】
【００２０】
本発明によるＡＬＣパネルの取付金物及び取付構造を、図１〜４に基づいて具体的に説明する。この取付金物１０は、図１に示すように、細長い板状の鋼板からなる平板部１１と、その平板部１１の長手方向一辺側の下面側に略鉤状（断面略ｈ字状）に設けた複数の挟持片１２とで構成されている。尚、これらの挟持片１２は、平板部１１の長手方向一辺側の複数箇所を一定幅で直角方向に切込み、その切込み部分を平板部１１の下面側に略鉤状に折り曲げて形成してある。
【００２１】
この取付金物１０をＨ形鉄骨梁のフランジ部に取り付けるには、図２に示すように、挟持片１２を有する平板部１１の長手方向一辺側をＨ形鉄骨梁２の一つのフランジ部２ａに対向させ、平板部１１と挟持片１２の間にフランジ部２ａを嵌合させる。平板部１１と挟持片１２の間隔は、挟持片１２の根本側でフランジ部２ａの厚さより若干広く、挟持片１２の先端に向かって狭くなり、最も狭い部分ではフランジ部２ａの厚さより若干低なっているが、挟持片１２の最先端部は平板部１１と反対側に折り曲げてフランジ部２ａの厚みよりも広くなっている（図４参照）。従って、平板部１１と挟持片１２の間の先端開口からフランジ部２ａを簡単に嵌め込むことができると同時に、平板部１１と複数の挟持片１２とでフランジ部２ａを挟持して、取付金物１０をＨ型鉄骨梁２のフランジ部２ａに確実に保持することができる。
【００２２】
Ｈ型鉄骨梁２のフランジ部２ａに保持された取付金物は、図２に示すように、平板部１１のフランジ部２ａと係合している長手方向一辺側がフランジ部２ａ上にあり、平板部１１の他辺側はフランジ部２ａの外側に突き出ている。この細長い取付金物１０の平板部１１をパネル載置面とすることで、図３に示すように、一つの取付金物１０の上に複数のＡＬＣパネル３を載せることができる。尚、ＡＬＣパネル３には、取付金物１０を収納するための切り込み部やネジ孔を予め形成しておく必要はない。
【００２３】
取付金物１０の平板部１１に載せたＡＬＣパネル３は、図４に示すように、例えばタッピンネジ１３などにより、フランジ部２ａから外に突き出た平板部１１の長手方向他辺側との間で固定される。その際、タッピンネジ１３を固定すべき平板部１１の長手方向他辺側は、フランジ部２ａから外に突き出し且つフランジ部２ａに沿って長く延長しているので、ネジ位置の墨出し作業を行わなくても、簡単にネジを打ち込むことが可能である。尚、タッピンネジ１３の場合、スクリュードライバなどを用いて打ち込めば、ＡＬＣパネル３と取付金物１０を貫通してネジ止めできるので、ＡＬＣパネル３及び取付金物１０に予め挿通用の孔を設けておく必要がない。
【００２４】
このようにして、取付金物１０がＨ形鉄骨梁２のフランジ部２ａに嵌合保持されると共に、この取付金物１０の平板部１１の表面によって面一のＡＬＣパネル載置面が構成され、このパネル載置面上に載置されたＡＬＣパネル３がフランジ部２ａから外に突き出た平板部１１の長手方向一辺側にネジ止め固定されたＡＬＣパネルの取付構造が得られる。
【図面の簡単な説明】
【００２５】
【図１】本発明によるＡＬＣパネルの取付金物の一実施例を示す斜視図である。
【図２】図１の取付金物をＨ形鉄骨梁のフランジ部に設置した状態を示す概略の斜視図である。
【図３】図２の取付金物上にＡＬＣパネルを載置した状態を示す概略の斜視図である。
【図４】図１の取付金物によるＡＬＣパネルの取付構造を示す概略の断面図である。
【図５】従来のＡＬＣパネル取付金物の一具体例を示す斜視図である。
【図６】図５の取付金物によるＡＬＣパネルの取付構造を示す概略の断面図である。
【図７】従来のＡＬＣパネル取付金物の別の具体例を示す斜視図である。
【図８】図７の取付金物によるＡＬＣパネルの取付構造を示す概略の断面図である。
【図９】従来のＡＬＣパネル取付金物の更に別の具体例を示す斜視図である。
【図１０】図７の取付金物によるＡＬＣパネルの取付構造を示す概略の断面図である。
【図１１】従来のＡＬＣパネル取付金物の更に別の具体例によるＡＬＣパネルの取付構造を示す概略の断面図である。
【符号の説明】
【００２６】
１、５、６、８        取付金物
２        Ｈ形鉄骨梁
２ａ      フランジ部
３        ＡＬＣパネル
３ａ      切り込み部
１０        取付金物
１１        平板部
１２        挟持片
１３        タッピンネジ
【図１】
2006097300.tif 000003
【図２】
2006097300.tif 000004
【図３】
2006097300.tif 000005
【図４】
2006097300.tif 000006
【図５】
2006097300.tif 000007
【図６】
2006097300.tif 000008
【図７】
2006097300.tif 000009
【図８】
2006097300.tif 000010
【図９】
2006097300.tif 000011
【図１０】
2006097300.tif 000012
【図１１】
2006097300.tif 000013